【手続補正書】
【提出日】平成16年4月28日(2004.4.28)
【手続補正１】
【補正対象書類名】明細書
【補正対象項目名】発明の名称
【補正方法】変更
【補正の内容】
【発明の名称】光モジュールのロック機構およびモジュールのロック解除方法
【手続補正２】
【補正対象書類名】明細書
【補正対象項目名】特許請求の範囲
【補正方法】変更
【補正の内容】
【特許請求の範囲】
【請求項１】
光通信を行うための素子を内蔵する光モジュールを構成するケースと、該ケースを収容するケージとを互いに係止するための、光モジュールのロック機構であって、
前記ケースに揺動可能に設けられたロック部材と、
前記ロック部材と前記ケージとを互いに係止する係止手段と、
前記ケースに回動可能に設けられ、前記係止手段の係止状態を解除するように前記ロック部材を動かすことが可能なレバーと、
前記ケースが前記ケージ内に収容されているときに前記係止手段を係止状態にするように前記ロック部材を付勢する付勢手段とを有しており、
前記係止手段は、前記ケージ内に収容された前記光モジュールを前記ケージ内から取り出す方向に前記レバーを引くことで係止状態が解除させられるように構成されていることを特徴とする、光モジュールのロック機構。
【請求項２】
前記係止手段は、前記ケージに形成された係止孔と、前記ロック部材に設けられた、前記係止孔に係止する係止突起とからなる、請求項１に記載の光モジュールのロック機構。
【請求項３】
前記ケージ内に収容された前記光モジュールを前記ケージ内から取り出す方向は前記ケースの前端面前方であり、
前記レバーの可動範囲は前記ケースの前端面前方の領域内である、請求項１または２に記載の光モジュールのロック機構。
【請求項４】
前記レバーの可動範囲は、前記ケースの最上面の前記ケースの前端面前方への延長と、前記ケースの最下面の前記ケースの前端面前方への延長との間の領域内である、請求項３に記載の光モジュールのロック機構。
【請求項５】
前記ケースには前記レバーを前記ケースに対する所定の位置に係止しておくための係止部が設けられており、前記レバーは前記係止部による係止が解除されると前記ケースの前端面前方に突出する位置に配置されるように構成されている、請求項１から４のいずれか１項に記載の光モジュールのロック機構。
【請求項６】
前記レバーは前記ケースに設けられた第１の溝内に支持される回動軸を中心として回動するように構成され、前記ロック部材は前記ケースに設けられた第２の溝内に支持される支軸を中心として揺動するように構成されており、
前記ロック部材は、前記支軸よりも前記ケースの前方側に配置される、前記レバーによって押圧される前方部と、前記支軸よりも前記ケースの後方側に配置される、前記係止突起が設けられた後方部とを有している、請求項２から５のいずれか１項に記載の光モジュールのロック機構。
【請求項７】
前記ロック部材の前記前方部には、前記レバーが前記ケースの前方に突出したときに前記レバーが当接する肩部が設けられている、請求項６に記載の光モジュールのロック機構。
【請求項８】
前記付勢手段は、前記係止突起を前記係止孔に係止させる位置に配置させるように前記ロック部材の前記後方部を付勢するばね部からなる、請求項６または７に記載の光モジュールのロック機構。
【請求項９】
前記第１の溝は、前記係止突起が前記係止孔に係止しているときに前記回動軸が位置する第１の位置と、前記レバーを前記ケースの前方に引っ張ったときに前記回動軸が位置する第２の位置との間を前記回動軸が移動できるように形成されており、
前記ロック部材の前記前方部には、前記回動軸が前記第１の溝内を前記第１の位置から前記第２の位置に移動すると前記回動軸が前記前方部を押圧するように形成されたカム面が設けられている、請求項６から８のいずれか１項に記載の光モジュールのロック機構。
【請求項１０】
前記ケースの前端面にはケーブルが接続されたコネクタが接続される接続口が設けられており、
前記レバーは、前記レバーが動く際に前記接続口に接続された前記コネクタから延びる前記ケーブルと干渉する部分が除去されている、請求項１から９のいずれか１項に記載の光モジュールのロック機構。
【請求項１１】
前記レバーは、前記コネクタが前記接続口に接続されているときに前記光モジュールを前記ケージ内から取り出す方向に動かすと前記コネクタに当接して、前記係止手段の係止状態を解除する位置まで動かないように構成されている、請求項１０に記載の光モジュールのロック機構。
【請求項１２】
モジュールをケージ内にロックするロック手段と、
前記モジュールに設けられた回動手段と、
前記回動手段を制御することにより、前記ロック手段を解除する解除手段と、
を有することを特徴とするロック機構。
【請求項１３】
前記回動手段はレバーであることを特徴とする、請求項１２に記載のロック機構。
【請求項１４】
前記解除手段は、前記回動手段を引くことによって前記ロック手段を解除することを特徴とする、請求項１２に記載のロック機構。
【請求項１５】
前記ロック手段は、前記モジュールを前記ケージ内にロックされた状態に維持するための弾性部を有することを特徴とする、請求項１４に記載のロック機構。
【請求項１６】
モジュールをケージ内にロックするロック手段と、
前記モジュールに設けられたレバーと、を有し、
前記レバーを引くことにより前記ロック手段を解除し、前記レバーをさらに引くことにより前記モジュールを前記ケージから取り外すことを特徴とするロック機構。
【請求項１７】
ケージ内に収容されたときに電気コネクタに接続される端子を一端に有し、ケーブルコネクタと接続される開口部を他端に有するモジュールと、
前記モジュールを前記ケージ内にロックするロック手段と、
前記モジュールに取り付けられる回動可能なレバーと、を有し、
前記レバーが第１の位置にあるときに前記ロック手段をロックし、前記レバーが第２の位置にあるときに前記ロック手段を解除することを特徴とするロック機構。
【請求項１８】
モジュールをケージ内にロックするロック手段と、
前記モジュールに設けられたレバーと、
前記レバーを引くことにより前記ロック手段を解除する解除手段と、を有し、
前記ロック手段が解除される場合、前記ロック手段に設けられたロック部の頂点が前記ケージの所定の面と同一の高さ、または前記所定の面より高さが低くなることを特徴とするロック機構。
【請求項１９】
モジュールに設けられたロック部をケージに設けられた係止孔に係止させることにより、前記モジュールを前記ケージ内にロックするロック手段と、
前記モジュールに設けられた回動手段と、
前記回動手段を制御することにより前記ロック手段を解除する解除手段と、を有し、
前記モジュールが前記ケージ内にロックされている状態では、前記ロック部の頂点が前記ケージの所定の面の外側に存在し、前記ロック手段が解除される場合には、前記ロック部の頂点が前記ケージの所定の面の内側に存在することを特徴とするロック機構。
【請求項２０】
モジュールをケージにロックするステップと、
前記モジュールに取り付けられたレバーを回動するステップと、
前記レバーを引くステップと、
前記ケージに対する前記モジュールのロックを解除するステップと、
を有することを特徴とするモジュールのロック解除方法。
【請求項２１】
モジュールをケージにロックするステップと、
前記モジュールに取り付けられたレバーを回動するステップと、
前記レバーを引く第１のステップと、
前記ケージに対する前記モジュールのロックを解除するステップと、
前記レバーを引く第２のステップと、
前記ケージから前記モジュールを取り外すステップと、
を有することを特徴とするモジュールのロック解除方法。
【手続補正３】
【補正対象書類名】明細書
【補正対象項目名】０００１
【補正方法】変更
【補正の内容】
【０００１】
【発明の属する技術分野】
本発明は、光信号通信を行う光モジュールのロック機構およびモジュールのロック解除方法に関する。さらに詳しくは、本発明は、光信号の送信、受信、および送受信のいずれかを行う光モジュールを、それを収容するケージに固定するロック機構およびモジュールのロック解除方法に関する。
【手続補正４】
【補正対象書類名】明細書
【補正対象項目名】００１９
【補正方法】変更
【補正の内容】
【００１９】
そこで本発明は、ケージからの光モジュールの取り外しを簡単な動作で行うことを可能にするとともに、通信装置内に複数の光モジュールを高密度に実装することを可能にする、光モジュールのロック機構およびモジュールのロック解除方法を提供することを目的とする。
【手続補正５】
【補正対象書類名】明細書
【補正対象項目名】００３４
【補正方法】変更
【補正の内容】
【００３４】
この構成によれば、コネクタがケースの接続口に接続されている間は、レバーを不用意に動作させて係止手段の係止状態を解除してしまうことがなくなる。そのため、コネクタが接続されて通信を行っている最中に誤って光モジュールをケージから取り外してしまうことを未然に防止することができ、通信を途中で中断させたり、あるいは光モジュールを故障させたりすることを防ぐことができる。
また、本発明の他のロック機構は、モジュールをケージ内にロックするロック手段と、前記モジュールに設けられた回動手段と、前記回動手段を制御することにより、前記ロック手段を解除する解除手段と、を有することを特徴とする。
このロック機構において、前記回動手段はレバーであってもよい。
また、前記解除手段は、前記回動手段を引くことによって前記ロック手段を解除するように構成されていてもよい。
さらに、前記ロック手段は、前記モジュールを前記ケージ内にロックされた状態に維持するための弾性部を有していてもよい。
本発明のさらに他のロック機構は、モジュールをケージ内にロックするロック手段と、前記モジュールに設けられたレバーと、を有し、前記レバーを引くことにより前記ロック手段を解除し、前記レバーをさらに引くことにより前記モジュールを前記ケージから取り外すことを特徴とする。
本発明のさらに他のロック機構は、ケージ内に収容されたときに電気コネクタに接続される端子を一端に有し、ケーブルコネクタと接続される開口部を他端に有するモジュールと、前記モジュールを前記ケージ内にロックするロック手段と、前記モジュールに取り付けられる回動可能なレバーと、を有し、前記レバーが第１の位置にあるときに前記ロック手段をロックし、前記レバーが第２の位置にあるときに前記ロック手段を解除することを特徴とする。
本発明のさらに他のロック機構は、モジュールをケージ内にロックするロック手段と、前記モジュールに設けられたレバーと、前記レバーを引くことにより前記ロック手段を解除する解除手段と、を有し、前記ロック手段が解除される場合、前記ロック手段に設けられたロック部の頂点が前記ケージの所定の面と同一の高さ、または前記所定の面より高さが低くなることを特徴とする。
本発明のさらに他のロック機構は、モジュールに設けられたロック部をケージに設けられた係止孔に係止させることにより、前記モジュールを前記ケージ内にロックするロック手段と、前記モジュールに設けられた回動手段と、前記回動手段を制御することにより前記ロック手段を解除する解除手段と、を有し、前記モジュールが前記ケージ内にロックされている状態では、前記ロック部の頂点が前記ケージの所定の面の外側に存在し、前記ロック手段が解除される場合には、前記ロック部の頂点が前記ケージの所定の面の内側に存在することを特徴とする。
本発明のモジュールのロック解除方法は、モジュールをケージにロックするステップと、前記モジュールに取り付けられたレバーを回動するステップと、前記レバーを引くステップと、前記ケージに対する前記モジュールのロックを解除するステップと、を有することを特徴とする。
本発明の他のモジュールのロック解除方法は、モジュールをケージにロックするステップと、前記モジュールに取り付けられたレバーを回動するステップと、前記レバーを引く第１のステップと、前記ケージに対する前記モジュールのロックを解除するステップと、前記レバーを引く第２のステップと、前記ケージから前記モジュールを取り外すステップと、を有することを特徴とする。